(57)【要約】  不使用時に端子を破損や汚損から守り、かつまた、美観を損なうことの無い携帯端末類用回転端子装置を提供する。携帯端末類の充電、データ通信を含む用途に用いる端子装置について、端子装置は少なくとも一個の端子１５を有する端子保持体１１と、上記端子保持体を取り付ける開口部１３を有する装置本体１２とを具えており、端子保持体は、装置本体の一部を構成する化粧面１４を片面に有し、上記端子を他の片面に有して構成され、装置本体に回転機構１６によって回転可能に取り付けられており、また、端子保持体は、使用時に上記端子が装置本体の表面側に突出し、不使用時に化粧面が表面側に現れて装置本体の一部を構成する。
2017002177.tif 000002
【特許請求の範囲】
【請求項１】
携帯端末類の充電、データ通信を含む用途に用いる端子装置であって、端子装置は少なくとも一個の端子を有する端子保持体と、上記端子保持体を取付ける開口部を有する装置本体とを具えており、端子保持体は、装置本体の一部を構成する化粧面を片面に有し、上記端子を他の片面に有して構成され、装置本体に回転機構によって回転可能に取り付けられており、また、端子保持体は、使用時に上記端子が装置本体の表面側に突出し、不使用時に化粧面が表面側に現れて装置本体の一部を構成することを特徴とする携帯端末類用回転端子装置。
【請求項２】
端子保持体は係合部を有し、装置本体はこの係合部と係合する係合相手部を装置本体の開口部内に有しており、上記係合部と係合相手部との係合によって、表面側に端子が現れる位置又は化粧面が現れる位置にてそれぞれ固定されるように構成された請求項１記載の携帯端末類用回転端子装置。
【請求項３】
装置本体は支持体を有しており、端子に携帯端末類を接続したときに、支持体が携帯端末類を背面にて支えるサポートとして機能し、携帯端末類の大きさの相違によって異なる後方への傾斜角度の変化が、端子保持体の回転機構によって調整されるように構成され、また、上記支持体は携帯端末類を上部にて押さえるストッパーを有している請求項１記載の携帯端末類用回転端子装置。
【請求項４】
机上・床などに置いて使用するための基台と基台上に設けた照明部とを具備し、請求項１記載の携帯端末類用回転端子装置を上記基台に組み込んで構成された携帯端末類用回転端子装置を具えた電気スタンド。
【請求項５】
基台は装置本体を兼ねるとともに、基台には支持体を兼ねる支柱が設けてあり、その支柱の上部に照明部が設けられている請求項４記載の携帯端末類用回転端子装置を具えた電気スタンド。
【発明の詳細な説明】
【技術分野】
【０００１】  本発明は、携帯端末類の充電、データ通信を含む用途に用いる携帯端末類用回転端子装置及びそれを組み込んだ電気スタンドに関するものである。
【背景技術】
【０００２】  ｉＰｈｏｎｅ（登録商標）等の携帯端末類には、充電やデータ通信を行なうために、Ｌｉｇｈｔｎｉｎｇコネクター（商品名）やｍｉｃｒｏ−ＵＳＢ（商品名）等の端子が付属している。上記端末機器類には充電を行ないながら携帯端末類の画面操作を操作したいときなどのためにクレードルと称される充電・通信兼用の台が提供されている。しかし、従来のクレードルは携帯端末類を接続していないときには端子がむき出しになり、破損や汚損の原因となる上、見栄えが悪く美観を損なうという問題がある。【０００３】  また、クレードルに、形状の異なる携帯端末類を接続するときや、保護ケース等を取り付けたままで携帯端末類を接続するときには、携帯端末類の背面とそれを支える部分との間の寸法差を調節する必要がある。そのために、従来はアタッチメントを用いたり、支える位置を移動させたりするなどの対応が必要になる。しかし、そうした対応は不便であるとともに、適切でない場合には端子等を損傷する原因にもなる。【０００４】  先行技術を調査すると、モバイルデバイスの充電装置に関する特表２０１５−５０２１２８号が見出された。同号の発明はモバイルデバイスと充電据え置き台を磁気的に結合させ、かつ、電気端子をマッチングさせる構成を有している。しかし、携帯端末類は端末ケースに保持させ、その端末ケースを充電据え置き台に磁気的に結合するもので、端末ケースは専用であるから携帯端末類が変わればそれに適するものに変える必要がある。また、装置構成は簡易とはいえず、部品点数も少なくはない。
【先行技術文献】
【特許文献】
【０００５】
【特許文献１】特表２０１５−５０２１２８号
【発明の概要】
【発明が解決しようとする課題】
【０００６】  本発明は前記の点に鑑みなされたもので、その課題は、不使用時に端子を破損や汚損から守り、かつまた、美観を損なうことのない携帯端末類用回転端子装置を提供することである。また、本発明の他の課題は、携帯端末類の形状やサイズが変わっても適切に支持することができるようにすることである。さらにまた、本発明の他の課題は、携帯端末類用回転端子装置を組み込んで構成された電気スタンドを提供することである。
【課題を解決するための手段】
【０００７】  前記の課題を解決するため、本発明は、携帯端末類の充電、データ通信を含む用途に用いる端子装置について、端子装置は少なくとも一個の端子を有する端子保持体と、上記端子保持体を取付ける開口部を有する装置本体とを具え、端子保持体は、装置本体の一部を構成する化粧面を片面に有し、上記端子を他の片面に有して構成され、装置本体に回転機構によって回転可能に取り付けられており、また、端子保持体は、使用時に上記端子が装置本体の表面側に突出し、不使用時に化粧面が表面側に現れて装置本体の一部を構成するという手段を講じたものである。【０００８】  本発明における回転端子装置は、端子保持体が回転機構によって回転し、端子保持体は片面が化粧面、他の片面が端子を有する面とされており、端子使用時には端子が、不使用時には化粧面が装置本体の表面側にあらわれる。従って、端子保持体はほぼ１８０度回転可能である。【０００９】  その構成において、端子保持体に有する片面の化粧面とは、特に化粧、装飾を施した面であることを必要としないが、装置本体の一部を構成する設置部の表面（以下、装置本体表面という。）の美観を損なわないものをいうものとする。例えば、装置本体表面が平滑面であることを特徴とするとすれば、化粧面も平滑な面とすることができる。しかし、装置本体表面に、例えば、マークやレリーフ等、他の何かを設けることも可能であり、化粧面に適用することができる。【００１０】  また、上記端子保持体が係合部を有し、装置本体はこの係合部と係合する係合相手部を装置本体の開口部内に有しており、上記係合部と係合相手部との係合によって、表面側に端子が現れる位置又は化粧面が現れる位置にてそれぞれ固定されるように構成することは本発明において好ましい構成である。上記係合構成によって、端子保持体が反転位置にて固定される。【００１１】  本発明の装置において、さらに、装置本体が支持体を有しており、端子に携帯端末類を接続したときに、支持体が携帯端末類を背面にて支えるサポートとして機能し、携帯端末類の大きさの相違によって異なる後方への傾斜角度の変化が、端子保持体の回転機構によって調整されるように構成され、また、上記支持体は携帯端末類を上部にて押さえるストッパーを有している構成は望ましいものである。この場合、端子保持体は背面を支持体で支えられるので、前記の係合に頼らなくても、携帯端末類を安定に支えて充電等の用途に供することができる。【００１２】  また、本発明は机上・床などに置いて使用するための基台と基台上に設けた照明部とを具備し、請求項１記載の携帯端末類用回転端子装置を上記基台に組み込んで構成された携帯端末類用回転端子装置を具えた電気スタンドを含むものである。端子を単に基台表面に設置しただけでは汚損や破損の恐れがあり、美観的にも問題であるが、上記の構成を取り入れることによって美観を損なわず、意匠によっては新たな美感を起させることも可能になる。【００１３】  電気スタンドについては、基台が装置本体を兼ねるとともに、基台には支持体を兼ねる支柱が設けてあり、その支柱の上部に照明部を設けることができる。従って、支持体として支柱を端子保持体の回転方向後方に設けることとすれば、支持体をわ���わざ設ける必要がない。
【発明の効果】
【００１４】  本発明は以上のように構成され、かつ、作用するものであるから、不使用時に端子を破損や汚損から守り、かつまた、美観を損なうことのない携帯端末類用回転端子装置を提供することができるという効果を奏する。また、本発明によれば、端子保持体の傾斜角度をかえることで、携帯端末類の形状やサイズが変わっても適切に支持することができるという効果を奏する。さらにまた、本発明によれば、携帯端末類用回転端子装置を組み込んで構成された、美観的にも優れた電気スタンドを提供することができる。
【図面の簡単な説明】
【００１５】
【図１】本発明に係る携帯端末類用回転端子装置の一例を示すもので、端子使用時の斜視図である。
【図２】同上装置において、端子不使用時の状態を示す断面説明図である。
【図３】同じく装置の構成を分解して示した斜視図である。
【図４】同じく端子保持体の係合構造を拡大して示すもので、Ａは係合相手部の一例を示す部分断面図、Ｂは同じく部分斜視図である。
【図５】同じく端子保持体の位置変化を示すもので、Ａは端子保持体の回転途中の状態、Ｂは最大回転時の状態をそれぞれ示す断面説明図である。
【図６】本発明に係る携帯端末類用回転端子装置を具えた電気スタンドの一例を示す斜視図である。
【発明を実施するための形態】
【００１６】  以下、図示の実施例を参照して本発明をより詳細に説明する。図１において、符号１１は端子保持体、１２は装置本体をそれぞれ示しており、装置本体１２は、上記の端子保持体１１を取付ける開口部１３を有している。上記装置本体１２は全体的に平滑に形成された表面を有し、そのほぼ中央部のやや後方寄りに開口部１３が設けられている。
【００１７】  上記端子保持体１１は、装置本体１２の一部を構成するように平滑な化粧面１４を片面に有し、端子１５を他の片面に有して構成され、装置本体１２に回転機構１６によって回転可能に取り付けられている（図２参照）。回転機構１６は端子保持体１１の側面に設けた短軸１６ａと、装置本体側に設けられた軸開口１６ｂとから成り、短軸１６ａを軸開口１６ｂに嵌めて回転可能に取り付けられる（図３参照）。
【００１８】  図示の例において、端子保持体１１はほぼ円盤型に形成され、その外周面の直径方向に短軸１６ａが設けられ、それが納まる一対のケーシング１７ａ、１７ｂのほぼ半球型の空所に配置されている（図３参照）。回転機構１６は、配線コード１８の引き込み口を兼ねており、配線１８の一端は電源に通じ、また、末端は上記端子１５に接続されている。なお、１３’はケーシング開口、１８ａは制御基板を示す。
【００１９】  端子保持体１１は係合部１９を有し、装置本体１２はこの係合部１９と係合する係合相手部２１ａ、２１ｂを装置本体１２の開口部１３内に有している。上記係合部１９と係合相手部２１ａ、２１ｂとの係合によって、表面側に端子１５が現れる位置又は化粧面１４が現れる位置にてそれぞれ固定されるように構成されている。
【００２０】  図示の係合部１９は短軸方向と直交軸方向の端子保持体外周面に設けた一対の突起から成り、僅かながら弾性変形可能に設けられている（図３参照）。係合相手部２１ａ、２１ｂは、一対のケーシング１７ａ、１７ｂの接合部内周面に形成された、係合部摺動溝２０ａ、２０ｂの両方の端部にそれぞれ設けられている（図４Ｂ参照）。よって、係合部１９は係合相手部２１ａ、２１ｂと係合することで、装置本体表面の一部を構成する位置に固定され、反対側の係合相手部２１ｃと係合することで、最大に回転された位置に固定される（図５Ｂ参照）。
【００２１】  このように構成された携帯端末類用回転端子装置１０において、端子保持体１１は、使用時に端子１５が装置本体１２の表面側に突出し、不使用時に化粧面１４が表面側に現れて装置本体１２の表面の一部を構成するものである。不使用状態は図２に示されており、係合部１９、１９は係合部摺動溝２０ａ、２０ｂの図２の左方の端部にて係合相手部２１ａ、２１ｂと係合し安定している。従って、表面には化粧面１４が現れ端子１５は隠されるため、汚損や破損から守られ、かつ、外観の審美性が損なわれることもない。
【００２２】  この状態から端子保持体１１の、各図左方の端部を押し下げて回転させることができ、その途中の状態は図５Ａに示されている。回転の間中において、係合部１９は係合部摺動溝２０ａ、２０ｂを摺動し、最大に回転させた状態では図５Ｂに示したように、右方の端部にて係合相手部２１ａ、２１ｂと係合し、端子１５が突出した状態で安定する。
【００２３】  端子１５を突出した状態とすれば、携帯端末類Ｍをソケットにて接続することができ、配線コード１８の通電により、携帯端末類Ｍの充電、データ通信が可能になる。図５Ｂに示した状態では携帯端末類Ｍは僅かに左方に傾いているが安定しており、従って、軽量な携帯端末類Ｍであればこのままでも支障はないが、図１及び図４Ｂに示したように、支持体２２を設けることで、携帯端末類を背面にて支えることができる。
【００２４】  すなわち、装置本体１２に支持体２２を設け、端子１５に携帯端末類Ｍを接続したときに、支持体２２が携帯端末類Ｍを背面にて支えるサポートとして機能するように構成することができる。端子保持体１１は任意の回転位置で停止させることができ、携帯端末類Ｍの大きさの相違によって異なる後方への傾斜角度の変化が、端子保持体本発明に係る携帯端末類用回転端子装置１１の回転機構１６によって調整される（図１参照）。
【００２５】  支持体２２には、ストッパー２２ａが上下スライド可能に設けられている。すなわち、支持体２２は一様な断面形状を有しており、ストッパー２２ａは支持体２２を軸として上下に移動可能に設けられているので、支持体２２で携帯端末類Ｍの背面を支えたときに、携帯端末類Ｍを上部にて押さえるように作用する。押さえるといっても、ストッパー２２ａのスライドをきつくする必要はなく、また、携帯端末類Ｍに傷を付けない形状、構造とすることが望まれる。
【００２６】  さらに本発明によれば、机上・床などに置いて使用するための基台２３と基台上に設けた照明部２４とを具備し、上記の携帯端末類用回転端子装置１０を上記基台２３に組み込んで携帯端末類用回転端子装置を具えた電気スタンド２５を構成することができる。この電気スタンド２５は図１に示されている。
【００２７】  上記基台２３は装置本体１２を兼ねるとともに、基台２３には支持体２２を兼ねる支柱２６が設けてあり、その支柱２６の上部に照明部２４が設けられている。２７はスイッチを示しており、端子１５及び照明部２４を含む回路の通電を制御する。このように構成されている本発明の電気スタンド２５によれば、端子不使用時には化粧面１４が基台２３の表面に現れるので、美観が損なわれず、使用時にのみ端子１５を上向きに露出させて、携帯端末類Ｍの充電、データ通信等の作業を行なうことができる。
【符号の説明】
【００２８】  １０  携帯端末類用回転端子装置  １１  端子保持体  １２  装置本体  １３  開口部  １４  化粧面  １５  端子  １６  回転機構  １７ａ、１７ｂ  ケーシング  １８  配線コード  １９  係合部  ２０ａ、２０ｂ  係合部摺動溝  ２１ａ、２１ｂ  係合相手部  ２２  支持体  ２３  基台  ２４  照明部  ２５  電気スタンド  ２６  支柱  ２７  スイッチ
【図１】
2017002177.tif 000003
【図２】
2017002177.tif 000004
【図３】
2017002177.tif 000005
【図４】
2017002177.tif 000006
【図５】
2017002177.tif 000007
【図６】
2017002177.tif 000008
【国際調査報告】
2017002177.tif 000009
2017002177.tif 000010
2017002177.tif 000011
2017002177.tif 000012